【手続補正書】
【提出日】平成29年3月16日(2017.3.16)
【手続補正１】
【補正対象書類名】明細書
【補正対象項目名】０００６
【補正方法】変更
【補正の内容】
【０００６】
上記目的を達成するため、本発明の一態様の撮像装置は、
撮影画角内における計測エリアの位置を変化させる第１の操作を第１の操作手段から検出する第１の操作検出手段と、
前記計測エリアのサイズを変化させる第２の操作を第２の操作手段から検出する第２の操作検出手段と、
前記第１の操作検出手段によって検出される前記第１の操作と、前記第２の操作検出手段によって検出される前記第２の操作と、により前記計測エリアの位置とサイズの各々を独立して設定する設定手段と、
を備え、
前記設定手段は、前記計測エリアの位置を変更可能な範囲を、当該計測エリアの中心が前記撮影画角内から外れない範囲に制限する、
ことを特徴とする。
【手続補正２】
【補正対象書類名】明細書
【補正対象項目名】００２８
【補正方法】変更
【補正の内容】
【００２８】
また、本実施形態のマルチＡＦエリアは、ハードの性能的に全てのエリアにおいてＡＦを行えない場合に（または、行う必要が無い場合や行いたく無い場合などに）、用いることができる。即ち、部分的なエリアをカバーするようにマルチＡＦエリアを設定し、設定したマルチＡＦエリアの計測エリア毎に順次ＡＦの処理を実行していくことで、そのエリアをカバーするように構成することができる。
【手続補正３】
【補正対象書類名】明細書
【補正対象項目名】００４２
【補正方法】変更
【補正の内容】
【００４２】
また、位置変更処理部５４は、算出された位置が配置可能エリア内である場合には、マルチＡＦエリアの位置を変更する。この際、位置変更処理部５４は、現在の位置とサイズでマルチＡＦエリア全体が配置可能エリアに収まらない場合には、現在の位置とサイズでマルチＡＦエリア全体が収まるようにマルチＡＦエリアの個数を一時的に変更する。具体的には、位置変更処理部５４は、図４の（１）や（２）に示すようにマルチＡＦエリアの個数を一時的に変更する。これに対して、位置変更処理部５４は、現在の位置とサイズでマルチＡＦエリア全体が配置可能エリアに収まる場合には、マルチＡＦエリアの個数を戻す。具体的には、位置変更処理部５４は、図４の（１）や（２）以外に示すようにマルチＡＦエリアの個数を（１）や（２）の状態から戻す。
【手続補正４】
【補正対象書類名】明細書
【補正対象項目名】００４３
【補正方法】変更
【補正の内容】
【００４３】
また、位置変更処理部５４は、算出された位置が配置可能エリア外にある場合には、マルチＡＦエリアの位置を変更しない。
【手続補正５】
【補正対象書類名】明細書
【補正対象項目名】００８０
【補正方法】変更
【補正の内容】
【００８０】
サイズ変更処理部５３及び位置変更処理部５４は、所定の条件に応じて、計測エリアの位置を変更可能な範囲を、当該計測エリアの中心が撮影画角内から外れない範囲に制限する。
これにより、撮像装置１においては、計測エリアの中心が常に撮影画角内に存在することとなり、どの位置で計測エリアのサイズを変化させた場合であっても、計測エリアの中心が撮影画角内から外れないので、ユーザは計測エリアの中心が撮影画角内から外れてしまう心配をすることなく、計測エリアの位置とサイズを自由に変更することができる。
【手続補正６】
【補正対象書類名】明細書
【補正対象項目名】００８１
【補正方法】変更
【補正の内容】
【００８１】
サイズ変更処理部５３は、撮影画角内を縦横に複数の領域に分割し、計測エリアに割り当てる分割領域の位置と個数を変化させることにより、計測エリアの位置とサイズを変化させるように設定する。
これにより、撮像装置１は、計測処理を簡便化するために、計測単位である個々の計測エリアの形状とサイズを固定した状態であっても、計測エリア全体の位置とサイズを任意かつ容易に素早く設定できるようにするために、撮影画角内を縦横に複数の領域に分割し、計測エリアに割り当てる分割領域の位置と個数を変化させることにより、計測エリア全体の位置とサイズを変化させる。
したがって、撮像装置１においては、各計測エリアにより計測処理の効率が保たれたままで、計測エリア全体の位置とサイズを変化させるので、計測エリア全体の計測処理の効率も向上する。
【手続補正７】
【補正対象書類名】明細書
【補正対象項目名】００８６
【補正方法】変更
【補正の内容】
【００８６】
上述の実施形態では、中央が設定可能な１点，５点，９点の計測エリアからなるマルチＡＦエリアの設定を行うように構成していたが、例えば、３×２，２×３，２×２の計測エリアからなるマルチＡＦエリアの設定を行うように構成してもよい。この場合、マルチＡＦエリアにおける中央に相当する計測エリアは、ユーザが任意に設定したり、中央付近の複数の計測エリアで構成したりすることができる。
【手続補正８】
【補正対象書類名】特許請求の範囲
【補正対象項目名】全文
【補正方法】変更
【補正の内容】
【特許請求の範囲】
【請求項１】
撮影画角内における計測エリアの位置を変化させる第１の操作を第１の操作手段から検出する第１の操作検出手段と、
前記計測エリアのサイズを変化させる第２の操作を第２の操作手段から検出する第２の操作検出手段と、
前記第１の操作検出手段によって検出される前記第１の操作と、前記第２の操作検出手段によって検出される前記第２の操作と、により前記計測エリアの位置とサイズの各々を独立して設定する設定手段と、
を備え、
前記設定手段は、前記計測エリアの位置を変更可能な範囲を、当該計測エリアの中心が前記撮影画角内から外れない範囲に制限する、
ことを特徴とする撮像装置。
【請求項２】
前記設定手段は、前記計測エリアの中心部を優先して計測を行うように設定する、
ことを特徴とする請求項１に記載の撮像装置。
【請求項３】
前記設定手段は、前記計測エリアの位置を変更可能な範囲を、当該計測エリアの中心が前記撮影画角内から外れない範囲に制限する第１の制限方法と、前記計測エリアの全体が前記撮影画角内から外れない範囲に制限する第２の制限方法とを選択可能にした、
ことを特徴とする請求項１または２に記載の撮像装置。
【請求項４】
前記設定手段は、前記撮影画角内を縦横に複数の領域に分割し、前記計測エリアに割り当てる分割領域の位置と個数を変化させることにより、前記計測エリアの位置とサイズを変化させるように設定し、さらに、前記計測エリアの位置が前記撮影画角内の端に移動すると、前記計測エリアに割り当てる分割領域の数を減少させる、
ことを特徴とする請求項１乃至３のいずれか１項に記載の撮像装置。
【請求項５】
撮像装置で実行される撮像条件設定方法であって、
撮影画角内における計測エリアの位置を変化させる第１の操作を第１の操作手段から検出する第１の操作検出ステップと、
前記計測エリアのサイズを変化させる第２の操作を第２の操作手段から検出する第２の操作検出ステップと、
前記第１の操作検出ステップによって検出される前記第１の操作と、前記第２の操作検出ステップによって検出される前記第２の操作と、により前記計測エリアの位置とサイズの各々を独立して設定する設定ステップと、
を含み、
前記設定ステップは、前記計測エリアの位置を変更可能な範囲を、当該計測エリアの中心が前記撮影画角内から外れない範囲に制限する、
ことを特徴とする撮像条件設定方法。
【請求項６】
撮像装置を制御するコンピュータに、
撮影画角内における計測エリアの位置を変化させる第１の操作を第１の操作手段から検出する第１の操作検出手段、
前記計測エリアのサイズを変化させる第２の操作を第２の操作手段から検出する第２の操作検出手段、
前記第１の操作検出手段によって検出される前記第１の操作と、前記第２の操作検出手段によって検出される前記第２の操作と、により前記計測エリアの位置とサイズの各々を独立して設定する設定手段、
を実現させ、
前記設定手段は、前記計測エリアの位置を変更可能な範囲を、当該計測エリアの中心が前記撮影画角内から外れない範囲に制限する、
ことを特徴とするプログラム。